(57)【要約】  本発明は回転体の回転によって本体からスティック化粧品が引出または引込されるスティック型化粧品容器であって、前記本体の下部に第１回転角度調節部を形成し、回転体の内側に第２回転角度調節部材を弾力的に上下移動可能に形成して前記第１回転角度調節部と第２回転角度調節部材が互いに噛合されるようにすることで、前記本体から回転体を回転させると回転体の第２回転角度調節部材が弾力的に上下移動しながら第１回転角度調節部と一定の回転角度で反復的に噛合されるようになり、これにより回転体の回転角度を常に一定の角度で制御することができるため使用の便宜性が改善された回転体の回転角度を一定の角度で制御するスティック型化粧品容器に関する。
2021503356.tif 000002
【特許請求の範囲】
【請求項１】
一側に入口部が形成され、他側に第１回転角度調節部が形成された本体と、
前記本体と回転可能に結合される回転体と、
前記本体の内側で上下移動し、一側にスティック化粧品が付着され、他側にネジ溝が形成された昇降皿と、
前記回転体の内側に結合されて回転体と共に回転され、前記昇降皿のネジ溝に結合されるネジ突起が形成された作動部材と、
前記回転体の内側に上下移動可能に形成されて回転体と共に回転され、前記第１回転角度調節部と噛合される第２回転角度調節部材と、
前記第２回転角度調節部材を弾力支持する弾性部材と、を含み、
前記回転体の回転時、前記第２回転角度調節部材が弾力的に上下移動しながら第１回転角度調節部と一定の回転角度で反復的に噛合されることによって、回転体の回転角度を常に一定の角度で制御することを特徴とする、回転体の回転角度を一定の角度で制御するスティック型化粧品容器。
【請求項２】
前記本体を開閉するオーバーキャップがさらに形成されることを特徴とする、請求項１に記載の回転体の回転角度を一定の角度で制御するスティック型化粧品容器。
【請求項３】
前記回転体には下部キャップがさらに結合されることを特徴とする、請求項１に記載の回転体の回転角度を一定の角度で制御するスティック型化粧品容器。
【請求項４】
前記回転体の中央には回転体貫通孔が形成されて前記本体の第１回転角度調節部が前記回転体貫通孔を貫通して回転可能に結合されることを特徴とする、請求項１に記載の回転体の回転角度を一定の角度で制御するスティック型化粧品容器。
【請求項５】
前記本体の下部中央には本体貫通孔が形成され、前記作動部材の中央には中央円筒が形成されて前記中央円筒が回転体の内側から本体貫通孔を貫通して回転可能に結合されることを特徴とする、請求項１に記載の回転体の回転角度を一定の角度で制御するスティック型化粧品容器。
【請求項６】
前記回転体には垂直挿入溝が形成され、前記第２回転角度調節部材には垂直挿入片が形成されて前記垂直挿入溝に挿入されることを特徴とする、請求項１に記載の回転体の回転角度を一定の角度で制御するスティック型化粧品容器。
【請求項７】
前記第２回転角度調節部材には垂直ガイド溝が形成され、前記作動部材には垂直ガイドバーが形成されて前記垂直ガイド溝に挿入されることを特徴とする、請求項１に記載の回転体の回転角度を一定の角度で制御するスティック型化粧品容器。
【請求項８】
前記第１回転角度調節部には第１曲面挿入部と第１曲面突出部が形成され、前記第２回転角度調節部材には第２曲面挿入部と第２曲面突出部が形成され、前記第１回転角度調節部の第１曲面挿入部と第１曲面突出部がそれぞれ第２回転角度調節部材の第２曲面挿入部と第２曲面突出部に対応されることを特徴とする、請求項１に記載の回転体の回転角度を一定の角度で制御するスティック型化粧品容器。
【請求項９】
前記第２曲面挿入部と第２曲面突出部は、第２回転角度調節部材の内側に段部形態で形成されて第１回転角度調節部の第１曲面挿入部と第１曲面突出部の下端が着座されることを特徴とする、請求項８に記載の回転体の回転角度を一定の角度で制御するスティック型化粧品容器。
【発明の詳細な説明】
【技術分野】
【０００１】
本発明は、回転体の回転角度を一定の角度で制御するスティック型化粧品容器に関し、さらに詳細には、回転体の回転によって本体からスティック化粧品が引出または引込されるスティック型化粧品容器であって、前記本体の下部に第１回転角度調節部を形成し、回転体の内側に第２回転角度調節部材を弾力的に上下移動可能に形成して前記第１回転角度調節部と第２回転角度調節部材が互いに噛合されるようにすることで、前記本体から回転体を回転させると回転体の第２回転角度調節部材が弾力的に上下移動しながら第１回転角度調節部と一定の回転角度で反復的に噛合されるようになり、これにより回転体の回転角度を常に一定の角度で制御することができるため使用の便宜性が改善された回転体の回転角度を一定の角度で制御するスティック型化粧品容器に関する。
【背景技術】
【０００２】
一般的に、女性は、自身の外見をさらに美しく装うために多様な化粧品を使用するが、前記化粧品のうち色調化粧品は、容貌を美しく変化させて肌を美しく演出させる目的で使用される。
【０００３】
上記色調化粧品は、肌の色を均一にして欠点をカバーするために使用されるものとしてベースメイクアップと、唇、目、爪など部分的に立体感を高めるポイントメイクアップに区分される。前記ベースメイクアップはメイクアップベース、ファンデーション、パウダーなどで構成されており、ポイントメイクアップは口紅、アイライナー、マスカラなどで構成されている。
【０００４】
上記ファンデーションは、顔のように外部に露出される肌の荒れやシミなどを自然に隠したり、清潔で華やかな肌または透明感があり滑らかな肌を表現しようとする場合に使用される化粧品であり、前記ファンデーションを用いて化粧を施す際には、化粧用パフで肌にダマにならないように均等に伸ばして塗るようになる。
【０００５】
このようなファンデーションは、一般的に幅広で平たいコンパクト容器に入れられて保管され、上記コンパクト容器内側にはパフが共に内蔵される。
【０００６】
しかし、上記コンパクト容器に収容されたファンデーションを使用するために、使用者は容器の蓋を開け、内容器蓋上部に収容されたパフを持った後、前記の内容器蓋を開けた後、前記パフでファンデーション化粧品をつけて肌に塗布しなければならないので、使用が不便であり、かかる過程でパフに残っているファンデーション化粧品が使用者の手について汚れる問題があった。
【０００７】
これにより、使用の便利性と携帯保管の便宜性のために、スティック型化粧品を容器一側に装着し、前記容器の回転によって容器内部に装着されたスティック型化粧品を昇降させて使用するスティック型化粧品容器が開発された。
【０００８】
このような構造を有する従来のスティック型化粧品容器（韓国登録実用新案第２０−０３９３３８２号「スティックタイプ化粧品容器」）について考察すると次の通りである。
【０００９】
上記従来技術は、図１に示すように、ハウジングと、前記ハウジング下部に結合されてネジ形態の昇降案内孔が形成された下部キャップと、前記下部キャップの回転によって昇降される作動部材と、前記作動部材と共に昇降されてスティック形態の化粧品が付着された収納部材と、前記収納部材の昇降を支持してスティック形態の化粧品を保管する保護管と、前記保護管を密閉させる上部キャップで構成されて前記保護管を把持した状態でハウジングを回転させることによってスティック形態の化粧品が保護管から出没または挿入される構造である。
【００１０】
しかし、上記従来技術は、化粧をする際、使用者の不注意によってハウジングが回転されながらスティック化粧品が保護管から出没されたり、保護管内部に挿入されたりして使用上便宜性が劣る問題点があった。
【００１１】
上記のような問題点を解決するために、図２に示すように、韓国登録特許第１０−１５９４２５３号に化粧用道具が開示されたが、上記従来技術は、本体１内側にスナップリング２を形成することで、楕円形または多角形の断面を有する回転部３が本体の軸を基準に回転する時、スナップリング２によって回転部３の回転が一定の角度ごとに制限されるようにして化粧品の昇降を便利に制御することができるようにした。
【００１２】
上記従来技術の回転制限構造を詳細に考察すると、図３に示すように、スナップリング２に突起引込部２−１を形成し、回転部３の外周縁にスナップ突起３−１を形成して前記回転部３のスナップ突起３−１がスナップリング２の内周面を強制的に通ってスナップリング２の突起引込部２−１に挿入されるようにしながら回転部３の回転を制限するようにする構造である。
【００１３】
しかし、上記従来技術は、回転部３のスナップ突起３−１がスナップリング２の内周面を強制的に通るようにするために前記回転部３を強く回転させなければならず、これにより相対的に力の弱い女性が容易に回転部３を回転させることができないため使用が不便な問題点があった。
【００１４】
また、上記従来技術は、長期間使用する時、回転部３のスナップ突起３−１がスナップリング２の内周面と摩擦を起こしながら摩耗され、これによりスナップリング２を通じた回転部３の回転制限機能が行われない問題点があった。
【発明の概要】
【発明が解決しようとする課題】
【００１５】
本発明は、上記のような問題点を解決するために案出されたものであり、回転体の回転によって本体からスティック化粧品が引出または引込されるスティック型化粧品容器であって、前記本体の下部に第１回転角度調節部を形成し、回転体の内側に第２回転角度調節部材を弾力的に上下移動可能に形成して前記第１回転角度調節部と第２回転角度調節部材が互いに噛合されるようにすることで、前記本体から回転体を回転させると回転体の第２回転角度調節部材が弾力的に上下移動しながら第１回転角度調節部と一定の回転角度で反復的に噛合されるようになり、これにより回転体の回転角度を常に一定の角度で制御することができるため使用の便宜性が改善された回転体の回転角度を一定の角度で制御するスティック型化粧品容器を提供することに目的がある。
【００１６】
また、本発明は、本体の下部に形成された第１回転角度調節部に第１曲面挿入部と第１曲面突出部を形成し、回転体の内側に形成された第２回転角度調節部材に第２曲面挿入部と第２曲面突出部を形成し、前記第１回転角度調節部の第１曲面挿入部と第１曲面突出部がそれぞれ第２回転角度調節部材の第２曲面突出部と第２曲面挿入部に対応されるようにすることで、前記本体から回転体を握って強制的に回転させる時、第２回転角度調節部材の第２曲面突出部が第１回転角度調節部の第１曲面挿入部から抜け出て自然に第１曲面突出部を乗り超えながら再び第１曲面挿入部に弾力的に挿入されることによって、回転体の回転感触が滑らかで使用感が向上した回転体の回転角度を一定の角度で制御するスティック型化粧品容器を提供することに目的がある。
【課題を解決するための手段】
【００１７】
本発明は、一側に入口部が形成され、他側に第１回転角度調節部が形成された本体と、
前記本体と回転可能に結合される回転体と、
前記本体の内側で上下移動し、一側にスティック化粧品が付着され、他側にネジ溝が形成された昇降皿と、
前記回転体の内側に結合されて回転体と共に回転され、前記昇降皿のネジ溝に結合されるネジ突起が形成された作動部材と、
前記回転体の内側に上下移動可能に形成されて回転体と共に回転され、前記第１回転角度調節部と噛合される第２回転角度調節部材と、
前記第２回転角度調節部材を弾力支持する弾性部材と、を含み、
前記回転体の回転時、前記第２回転角度調節部材が弾力的に上下移動しながら第１回転角度調節部と一定の回転角度で反復的に噛合されることによって、回転体の回転角度を常に一定の角度で制御することを特徴とする、回転体の回転角度を一定の角度で制御するスティック型化粧品容器を提供する。
【００１８】
また、前記本体を開閉するオーバーキャップがさらに形成されることを特徴とする。
【００１９】
また、前記回転体には下部キャップがさらに結合されることを特徴とする。
【００２０】
また、前記回転体の中央には回転体貫通孔が形成されて前記本体の第１回転角度調節部が前記回転体貫通孔を貫通して回転可能に結合されることを特徴とする。
【００２１】
また、前記本体の下部中央には本体貫通孔が形成され、前記作動部材の中央には中央円筒が形成されて前記中央円筒が回転体の内側から本体貫通孔を貫通して回転可能に結合されることを特徴とする。
【００２２】
また、前記回転体には垂直挿入溝が形成され、前記第２回転角度調節部材には垂直挿入片が形成されて前記垂直挿入溝に挿入されることを特徴とする。
【００２３】
また、前記第２回転角度調節部材には垂直ガイド溝が形成され、前記作動部材には垂直ガイドバーが形成されて前記垂直ガイド溝に挿入されることを特徴とする。
【００２４】
また、前記第１回転角度調節部には第１曲面挿入部と第１曲面突出部が形成され、前記第２回転角度調節部材には第２曲面挿入部と第２曲面突出部が形成され、前記第１回転角度調節部の第１曲面挿入部と第１曲面突出部がそれぞれ第２回転角度調節部材の第２曲面挿入部と第２曲面突出部に対応されることを特徴とする。
【００２５】
また、前記第２曲面挿入部と第２曲面突出部は、第２回転角度調節部材の内側に段部形態で形成されて第１回転角度調節部の第１曲面挿入部と第１曲面突出部の下端が着座されることを特徴とする。
【発明の効果】
【００２６】
本発明に係る回転体の回転角度を一定の角度で制御するスティック型化粧品容器は、回転体の回転によって本体からスティック化粧品が引出または引込されるスティック型化粧品容器であって、前記本体の下部に第１回転角度調節部を形成し、回転体の内側に第２回転角度調節部材を弾力的に上下移動可能に形成して前記第１回転角度調節部と第２回転角度調節部材が互いに噛合されるようにすることで、前記本体から回転体を回転させると回転体の第２回転角度調節部材が弾力的に上下移動しながら第１回転角度調節部と一定の回転角度で反復的に噛合されるようになり、これにより回転体の回転角度を常に一定の角度で制御することができるため使用の便宜性が改善する効果がある。
【００２７】
また、本発明に係る回転体の回転角度を一定の角度で制御するスティック型化粧品容器は、本体の下部に形成された第１回転角度調節部に第１曲面挿入部と第１曲面突出部を形成し、回転体の内側に形成された第２回転角度調節部材に第２曲面挿入部と第２曲面突出部を形成し、前記第１回転角度調節部の第１曲面挿入部と第１曲面突出部がそれぞれ第２回転角度調節部材の第２曲面突出部と第２曲面挿入部に対応されるようにすることで、前記本体から回転体を握って強制的に回転させる時、第２回転角度調節部材の第２曲面突出部が第１回転角度調節部の第１曲面挿入部から抜け出て自然に第１曲面突出部を乗り超えながら再び第１曲面挿入部に弾力的に挿入されることによって、回転体の回転感触が滑らかで使用感が向上する効果がある。
【図面の簡単な説明】
【００２８】
【図１】従来のスティックタイプ化粧品容器である。
【図２】従来の化粧用道具である。
【図３】従来の化粧用道具に設置された回転部回転制限構造である。
【図４】本発明に係るスティック型化粧品容器の斜視図である。
【図５】本発明に係るスティック型化粧品容器の分解斜視図である。
【図６】本発明に係るスティック型化粧品容器のＡ−Ａ断面図である。
【図７】本発明に係るスティック型化粧品容器のＢ−Ｂ断面図である。
【図８】本発明に係るスティック型化粧品容器のオーバーキャップと密閉部材が分離される様子を示すＡ−Ａ断面図である。
【図９】本発明に係るスティック型化粧品容器の本体から回転体を回転させる様子を示すＡ−Ａ断面図である。
【図１０】本発明に係るスティック型化粧品容器の本体から回転体が１８０度回転された様子を示すＡ−Ａ断面図である。
【図１１】本発明に係るスティック型化粧品容器の本体から引出されたスティック化粧品を利用して化粧をする様子を示す斜視図である。
【発明を実施するための形態】
【００２９】
本発明と本発明の実施によって達成される技術的課題は、次で説明する好ましい実施例によって明確になる。以下、添付の図面を参照して本発明に係る回転体の回転角度を調節するスティック型化粧品容器の一実施例を詳細に考察する。
【００３０】
図４は本発明に係るスティック型化粧品容器の斜視図であり、図５は本発明に係るスティック型化粧品容器の分解斜視図であり、図６は本発明に係るスティック型化粧品容器のＡ−Ａ断面図であり、図７は本発明に係るスティック型化粧品容器のＢ−Ｂ断面図である。
【００３１】
本発明に係る回転体の回転角度を調節するスティック型化粧品容器は、一側に入口部１２が形成され、他側に第１回転角度調節部１４が形成された本体１０と、前記本体１０と回転可能に結合される回転体２０と、前記本体１０の内側で上下移動し、一側にスティック化粧品Ｓが付着され、他側にネジ溝３４２が形成された昇降皿３０と、前記回転体２０の内側に結合されて回転体２０と共に回転され、前記昇降皿３０のネジ溝３４２に結合されるネジ突起４２が形成された作動部材４０と、前記回転体２０の内側に上下移動可能に形成されて回転体２０と共に回転され、前記第１回転角度調節部１４と噛合される第２回転角度調節部材５０と、前記第２回転角度調節部材５０を弾力支持する弾性部材６０と、を含み、前記回転体２０の回転時、前記第２回転角度調節部材５０が弾力的に上下移動しながら第１回転角度調節部１４と一定の回転角度で反復的に噛合されることによって、回転体２０の回転角度を常に一定の角度で制御することを特徴とする。
【００３２】
前記本体１０の上部には入口部１２が形成されて前記入口部１２を通じて昇降皿３０に付着されたスティック化粧品Ｓが外部に引出または本体１０内部に挿入される。
【００３３】
前記本体１０の下部中央には、図５に示すように、本体貫通孔１１が形成され、前記本体貫通孔１１の外側に第１結合突輪１１２が形成されて作動部材４０と回転可能に結合される。
【００３４】
前記本体貫通孔１１外側には第１回転角度調節部１４が形成されるが、前記第１回転角度調節部１４は、本発明の一実施例に示されたように、本体１０と一体で形成されてもよく、別途で形成されて本体１０と固定結合されてもよい。
【００３５】
前記第１回転角度調節部１４の外周縁には第２結合突輪１４２が形成されて回転体２０と回転可能に結合される。
【００３６】
前記第１回転角度調節部１４には第１曲面挿入部１４４と第１曲面突出部１４６が形成される。図５の部分拡大図面に示すように、前記第１曲面挿入部１４４は上側に凹んだ曲面形状であり、前記第１曲面突出部１４６は、下側に突出された曲面形状で、前記第１曲面挿入部１４４と第１曲面突出部１４６は互いに交互に連結される。
【００３７】
前記本体１０と回転体２０は、後で説明する昇降皿３０が本体１０から空転しないように上部から見た時に楕円または多角形形態で形成されることが好ましい。
【００３８】
前記回転体２０は、本体１０の下部に回転可能に結合される。
【００３９】
図５に示すように、前記回転体２０の上部面中央には回転体貫通孔２１が形成され、前記回転体貫通孔２１の外側には第３結合突輪２１２が形成されるが、本体１０の第１回転角度調節部１４が前記回転体貫通孔２１を貫通しながら本体１０の第２結合突輪１４２と前記第３結合突輪２１２が回転可能にアンダーカット結合される。
【００４０】
前記回転体２０の内側には、図５の部分拡大図面に示すように、一対の垂直挿入溝２２が形成され、下部内周面には第１結合突起２８が形成される。
【００４１】
前記回転体２０の上部には締結段部２４が形成され、前記締結段部２４の上部には締結突起２６が形成されてオーバーキャップ７０と結合される。
【００４２】
前記回転体２０の上部には本体１０を開閉するオーバーキャップ７０がさらに形成されるが、前記オーバーキャップ７０の下部内部縁には締結溝７６が形成されて回転体２０の締結突起２６と結合され、前記回転体２０とオーバーキャップ７０の結合時、オーバーキャップ７０の下端が回転体２０の締結段部２４に着座される。
【００４３】
前記オーバーキャップ７０の内側には、図６に示すように、密閉部材９０がさらに形成されて本体１０の入口部１２に着座されながら前記入口部１２を塞ぐようになる。
【００４４】
前記回転体２０の下部には下部キャップ８０がさらに結合されて前記回転体２０の下部を塞ぐようになる。前記下部キャップ８０は、回転体２０の下側に結合されるが、前記下部キャップ８０の外周面に第２結合突起８８が形成されて回転体２０の第１結合突起２８と結合される。
【００４５】
前記昇降皿３０は、図５に示すように、本体１０の内側に上下移動可能に形成される。
【００４６】
前記昇降皿３０は、皿部３２と前記皿部３０の下側に延長形成されたネジ結合部３４からなる。
【００４７】
前記皿部３２にはスティック化粧品Ｓが付着されて前記皿部３２の垂直移動によってスティック化粧品Ｓが本体１０から引出または引込される。
【００４８】
前記ネジ結合部３４の外周縁にはネジ溝３４２が形成される。図７に示すように、前記ネジ結合部３４が作動部材４０の中央円筒４１に挿入されながら前記ネジ結合部３４の外周縁に形成されたネジ溝３４２と中央円筒４１の内周縁に形成されたネジ突起４２が互いにネジ結合される。
【００４９】
前記作動部材４０は、回転体２０の内側に結合されて前記回転体２０と共に回転される。
【００５０】
前記作動部材４０の中央には、図５に示すように、中央円筒４１が上側に延長形成され、前記中央円筒４１の外側に一対の側面板４４が上側に延長形成される。
【００５１】
前記作動部材４０の中央円筒４１は、図６に示すように、本体１０の本体貫通孔１１を貫通しながら回転可能に結合されるが、前記中央円筒４１の外周縁に第４結合突輪４１２が形成されて前記本体１０の第１結合突輪１１２と回転可能にアンダーカット結合される。
【００５２】
前記作動部材４０の中央円筒４１内周縁にはネジ突起４２が形成されるが、前記ネジ突起４２は、図７に示すように、昇降皿３０のネジ溝３４２とネジ結合される。
【００５３】
前記作動部材４０の側面板４４両側面には、図５に示すように、突出部４４１が形成されて回転体２０の内周面に密着し、前記側面板４４内周面には垂直ガイドバー４４２が形成されて第２回転角度調節部材５０の上下移動を案内するようになる。
【００５４】
前記第２回転角度調節部材５０は、回転体２０の内側で上下移動可能に形成される。
【００５５】
前記第２回転角度調節部材５０の外周縁には、図５に示すように、一対の垂直挿入片５２が形成されるが、前記垂直挿入片５２は、回転体２０の垂直挿入溝２２に挿入されて前記第２回転角度調節部材５０が元の位置から離脱されないようにする。
【００５６】
前記第２回転角度調節部材５０の垂直挿入片５２の外周面には垂直ガイド溝５２２が形成されるが、前記垂直ガイド溝５２２には、図６に示すように、作動部材４０の垂直ガイドバー４４２が挿入されて前記第２回転角度調節部材５０の上下移動を案内するようになる。
【００５７】
前記第２回転角度調節部材５０の上部には、図５に示すように、第１回転角度調節部１４の第１曲面挿入部１４４及び第１曲面突出部１４６と対応される第２曲面挿入部５４及び第２曲面突出部５６が形成される。すなわち、第１回転角度調節部１４の第１曲面突出部１４６は、第２回転角度調節部材５０の第２曲面挿入部５４に挿入され、第２回転角度調節部材５０の第２曲面突出部５６は、第１回転角度調節部１４の第１曲面挿入部１４４に挿入される。
【００５８】
前記第１回転角度調節部１４の第１曲面挿入部１４４及び第１曲面突出部１４６と同様に、第２回転角度調節部材５０の第２曲面挿入部５４は、下側に凹んだ曲面形状であり、第２曲面突出部５６は上側に突出された曲面形状で、前記第２曲面挿入部５４と第２曲面突出部５６は、互いに交互に連結される。
【００５９】
前記第２曲面挿入部５４と第２曲面突出部５６は、第２回転角度調節部材５０の上部内側に段部形態で形成されて第１回転角度調節部１４の第１曲面挿入部１４４と第１曲面突出部１４６の下端が着座される。したがって、前記第１回転角度調節部１４の第１曲面挿入部１４４と第１曲面突出部１４６が第２回転角度調節部材５０の第２曲面挿入部５４と第２曲面突出部５６に安定して噛合されるようになる。
【００６０】
前記第２回転角度調節部材５０の下部内周縁には弾性部材挿入段部５８が形成される。
【００６１】
前記弾性部材６０は、第２回転角度調節部材５０の下部に位置されて前記第２回転角度調節部材５０を弾力支持する。
【００６２】
図６と図７に示すように、前記弾性部材６０は、作動部材４０の中央円筒４１を囲みながら位置され、前記弾性部材６０の一側は、作動部材４０の底面に密着し、他側は、第２回転角度調節部材５０の弾性部材挿入段部５８に挿入されて密着する。
【００６３】
上で考察したように、本発明に係るスティック型化粧品容器は、本体１０から回転体２０の回転時、第２回転角度調節部材５０が弾性部材６０によって弾力的に上下移動しながら第１回転角度調節部１４と一定の回転角度で反復的に噛合されて回転体２０の回転角度を常に一定の角度で制御することができるように構造を改善した。
【００６４】
さらに、本発明に係るスティック型化粧品容器は、第１回転角度調節部１４と第２回転角度調節部材５０にそれぞれ第１曲面挿入部１４４及び第１曲面突出部１４６と第２曲面挿入部５４及び第２曲面突出部５６を形成して相互対応されるようにすることで、使用者が本体１０から回転体２０を握って強制的に回転させる時、第２回転角度調節部材５０の第２曲面突出部５６が第１回転角度調節部１４の第１曲面挿入部１４４から抜け出て自然に第１曲面突出部１４６を乗り越えながら再び第１曲面挿入部１４４に弾力的に挿入されることによって、回転体２０の回転感触が滑らかで使用感が向上されるようにし、前記第２回転角度調節部材５０が弾性部材６０によって弾力的に上下移動しながら第１回転角度調節部１４と一定の回転角度で反復的に噛合するようにして回転角度を制御する部分が摩耗されないため長時間使用しても円滑に作動するようにした。
【００６５】
上記のように構成された本発明の一実施例に係る回転体の回転角度を一定の角度で制御するスティック型化粧品容器の組立方法を、図面を参照して説明すると次の通りである。
【００６６】
本発明の一実施例に係る回転体の回転角度を一定の角度で制御するスティック型化粧品容器を組み立てるためには、まず図５と図６に示すように、本体１０の下部に回転キャップ２０を回転可能に結合し、前記本体１０の第１回転角度調節部１４が回転体２０の回転体貫通孔２１を貫通しながら本体１０の第２結合突輪１４２と回転体２０の第３結合突輪２１２がアンダーカット結合されるようにする。
【００６７】
次に、作動部材４０の中央円筒４１外側に弾性部材６０を挿入した後、第２回転角度調節部材５０を挿入するが、前記第２回転角度調節部材５０の垂直ガイド溝５２２に作動部材４０の垂直ガイドバー４４２が挿入されるようにすると同時に、第２回転角度調節部材５０の弾性部材挿入段部５８に弾性部材６０の上端が挿入されるようにする。
【００６８】
次に、前記作動部材４０を回転体２０の下側に挿入しながら作動部材４０の中央円筒４１が本体１０の本体貫通孔１１を貫通して回転可能に結合するが、前記回転体２０の垂直挿入溝２２に第２回転角度調節部材５０の垂直挿入片５２が挿入されながら本体１０の第１結合突輪１１２と中央円筒４１の第４結合突輪４１２がアンダーカット結合されるようにする。
【００６９】
この時、前記第１回転角度調節部１４の第１曲面挿入部１４４が第２回転角度調節部材５０の第２曲面突出部５６と密着し、第１回転角度調節部１４の第１曲面突出部１４６が第２回転角度調節部材５０の第２曲面挿入部５４と密着する。
【００７０】
次に、前記回転体２０の下側に下部キャップ８０を結合して回転体２０の下部を塞ぐ。
【００７１】
次に、前記本体１０の入口部１２に昇降皿３０を挿入した後、前記本体１０から回転体２０を回転させて作動部材４０の中央円筒４１内周縁に形成されたネジ突起４２が昇降皿３０のネジ結合部３４外周縁に形成されたネジ溝３４２にネジ結合されるようにする。
【００７２】
この時、前記昇降皿３０の皿部３２にはスティック化粧品Ｓが付着された状態である。
【００７３】
次に、前記本体１０の入口部１２に密閉部材９０を着座させて本体１０を密閉させる。
【００７４】
最後に、前記本体１０の上部にオーバーキャップ７０を被せながら前記オーバーキャップ７０と回転体２０が結合されるようにして本発明の一実施例に係る回転体の回転角度を一定の角度で制御するスティック型化粧品容器の組立を完了する。
【００７５】
上記のように組み立てられた本発明の一実施例に係る回転体の回転角度を一定の角度で制御するスティック型化粧品容器の使用方法を、図面を参照して説明すると次の通りである。
【００７６】
図８は本発明に係るスティック型化粧品容器のオーバーキャップと密閉部材が分離する様子を示すＡ−Ａ断面図であり、図９は本発明に係るスティック型化粧品容器の本体から回転体を回転させる様子を示すＡ−Ａ断面図であり、図１０は本発明に係るスティック型化粧品容器の本体から回転体が１８０度回転された様子を示すＡ−Ａ断面図であり、図１１は本発明に係るスティック型化粧品容器の本体から引出されたスティック化粧品を利用して化粧をする様子を示す斜視図である。
【００７７】
本発明の一実施例に係る回転体の回転角度を一定の角度で制御するスティック型化粧品容器を使用するためには、まず、図８に示すように、本体１０からオーバーキャップ７０と密閉部材９０を順に分離して前記本体１０の入口部１２を開放する。
【００７８】
その後、図９に示すように、本体１０から回転体２０を一方向に回転させる。この時、前記作動部材４０の突出部４４１が回転体２０の内周面に密着しており、第２回転角度調節部材５０の垂直挿入片５２が回転体２０の垂直挿入溝２２に挿入されているため前記作動部材４０と第２回転角度調節部材５０が回転体２０と共に回転される。
【００７９】
前記第２回転角度調節部材５０が回転されると、図９の部分拡大図面に示すように、第２回転角度調節部材５０の第２曲面突出部５６が下側に押されながら第１回転角度調節部１４の第１曲面挿入部１４４から抜け出て自然に第１曲面突出部１４６を乗り越えるようになる。
【００８０】
その後、図１０に示すように、回転体２０をさらに回転させると、第２回転角度調節部材５０が弾性部材６０の弾性力によって上側に移動しながら前記第２回転角度調節部材５０の第２曲面突出部５６が再び第１回転角度調節部１４の第１曲面挿入部１４４に弾力的に挿入される。
【００８１】
これと同時に、前記作動部材４０が回転されながら作動部材４０とネジ結合されていた昇降皿３０が上部に移動し、これにより前記昇降皿３０の上部に付着されたスティック化粧品Ｓが本体１０の入口部１２を通じて外部に引出される。
【００８２】
その後、図１１に示すように、本体１０の外部に引出されたスティック化粧品Ｓを利用して肌に化粧を施し、前記回転体２０を反対に回転させてスティック化粧品Ｓを本体１０内側に挿入した後、オーバーキャップ７０を閉めて保管または携帯する。
【００８３】
以上、本発明で説明したことは回転体の回転角度を一定の角度で制御するスティック型化粧品容器を実施するための一つの実施例に過ぎず、本発明は前記実施例に限定されるものではない。添付の請求の範囲で請求するように本発明の要旨を逸脱せずに当該発明が属する分野で通常の知識を有する者であれば誰でも多様な変更実施が可能な範囲まで本発明の範囲に属するものとみなされなければならない。
【符号の説明】
【００８４】
１０  本体
１１  本体貫通孔
１２  入口部
１４  第１回転角度調節部
２０  回転体
２１  回転体貫通孔
２２  垂直挿入溝
３０  昇降皿
３２  皿部
３４  ネジ結合部
４０  作動部材
４１  中央円筒
４２  ネジ突起
４４  側面板
５０  第２回転角度調節部
５２  垂直挿入片
５４  第２曲面挿入部
５６  第２曲面突出部
６０  弾性部材
７０  オーバーキャップ
８０  下部キャップ
９０  密閉部材
１４４  第１曲面挿入部
１４６  第１曲面突出部
３４２  ネジ溝
Ｓ  スティック化粧品
【図１】
2021503356.tif 000003
【図２】
2021503356.tif 000004
【図３】
2021503356.tif 000005
【図４】
2021503356.tif 000006
【図５】
2021503356.tif 000007
【図６】
2021503356.tif 000008
【図７】
2021503356.tif 000009
【図８】
2021503356.tif 000010
【図９】
2021503356.tif 000011
【図１０】
2021503356.tif 000012
【図１１】
2021503356.tif 000013
【国際調査報告】
2021503356.tif 000014
2021503356.tif 000015
2021503356.tif 000016
2021503356.tif 000017